(57)【要約】【課題】  出荷前における回路板４０の内部や回路板４０とリード線５０との接続状態の検査時に筐体１０の内部でリード線５０の固定を行うことを可能にして、出荷前の導通検査を容易に行うことができる火災感知器１を提供するものである。【解決手段】  一方側に開放空間を備えた筐体１０と、筐体１０の内部に固定され火災検知素子４５が実装された回路板４０と、一端部が回路板４０に電気接続され火災検知素子４５で検知された信号を外部へ伝送するためのリード線５０と、を備えた火災感知器１において、リード線５０が他端部で絶縁皮膜を段剥した裸芯部５１を備え、筐体１０は、一方側から嵌挿されるリード線５０の裸芯部５１を案内するための案内溝２１を有した案内部２０と一方側からの荷重が負荷された際に裸芯部５１を受けるための受け面２６を有した受け部２５とを備えているものである。【選択図】図１
2006209358.tif 000002
【特許請求の範囲】
【請求項１】
一方側に開放空間を備えた筐体と、筐体の内部に固定され火災検知素子が実装された回路板と、一端部が回路板に電気接続され火災検知素子で検知された信号を外部へ伝送するためのリード線と、を備えた火災感知器において、
リード線が他端部で絶縁皮膜を段剥した裸芯部を備え、筐体は、一方側から嵌挿されるリード線の裸芯部を案内するための案内溝を有した案内部と一方側からの荷重が負荷された際に裸芯部を受けるための受け面を有した受け部とを備えていることを特徴とする火災感知器。
【請求項２】
案内溝の底面が受け部の受け面と略面一で連結されていることを特徴とする請求項１に記載の火災感知器。
【請求項３】
筐体は、リード線の裸芯部を案内溝内に保持するためにリード線の皮膜部を挟持する挟持部を備えていることを特徴とする請求項１または２記載の火災感知器。
【請求項４】
筐体は、複数のリード線を各々の案内溝に案内する複数の案内部を連設した連設案内部が設けられ、受け部が連設案内部の両側に交互に配されていることを特徴とする請求項１から３のいずれかに記載の火災感知器。
【発明の詳細な説明】
【技術分野】
【０００１】
本願発明は、検知した信号を外部へ伝送するためのリード線を備えた火災感知器に関する。
【背景技術】
【０００２】
従来から筐体の内部に固定され火災を検知するための火災検知素子が実装された回路板と、一端部が回路板に電気接続され火災検知素子で検知された信号を外部へ伝送するためのリード線と、を備えた火災感知器が知られている（例えば、特許文献１）。
【０００３】
そして、このような火災感知器は電線連結具等を用いて、回路板と電気接続したリード線と外部電線とを電気接続して、回路板に実装された火災検知素子で検知した火災発生等の信号を外部に伝送しているものである。
【特許文献１】特開２００２−４２２６０号公報
【発明の開示】
【発明が解決しようとする課題】
【０００４】
しかしながら、上記のような構造を備えた火災感知器においては、出荷前の回路板の内部や回路板とリード線との接続状態の検査において、回路板を接続する側と反対側のリード線の電線連結具等が取り付けられている端部を外付けの冶具等で固定した後、その端部に検査用のプローブを押し当てる必要があり、このリード線の固定に手間を要して生産性が向上しないという不具合があった。そこで、本願発明は、出荷前における回路板の内部や回路板とリード線との接続状態の検査時に筐体の内部でリード線の固定を行うことを可能にして、出荷前の導通検査を容易に行うことができる火災感知器を提供するものである。
【課題を解決するための手段】
【０００５】
上記課題を解決するために、本願発明の火災感知器は、一方側に開放空間を備えた筐体と、筐体の内部に固定され火災検知素子が実装された回路板と、一端部が回路板に電気接続され火災検知素子で検知された信号を外部へ伝送するためのリード線と、を備えた火災感知器において、リード線が他端部で絶縁皮膜を段剥した裸芯部を備え、筐体は、一方側から嵌挿されるリード線の裸芯部を案内するための案内溝を有した案内部と一方側からの荷重が負荷された際に裸芯部を受けるための受け面を有した受け部とを備えているものである。
【発明の効果】
【０００６】
本願発明の火災感知器においては、リード線が他端部で絶縁皮膜を段剥した裸芯部を備え、筐体は、一方側から嵌挿されるリード線の裸芯部を案内するための案内溝を有した案内部と一方側からの荷重が負荷された際に裸芯部を受けるための受け面を有した受け部とを備えているので、裸芯部の上方より検査用プローブを押し当てて導通検査等の回路板、回路板とリード線の接続状態等の導通検査を容易に行うことができて、生産性が向上するものである。
【発明を実施するための最良の形態】
【０００７】
図１は、本願発明の請求項１乃至４に対応した実施形態の火災感知器１を、図２は図１の火災感知器１の分解斜視図を、図３（ａ）および（ｂ）には図１の火災感知器１の要部拡大斜視図を、図４には図１の火災感知器１の検査時における要部拡大図を示している。この実施形態で用いる火災感知器１は、一方側に開放空間を備えた筐体１０と、筐体１０の内部に固定され火災検知素子４５が実装された回路板４０と、一端部が回路板４０に電気接続され火災検知素子４５で検知された信号を外部へ伝送するためのリード線５０と、を備えた火災感知器１において、リード線５０が他端部で絶縁皮膜を段剥した裸芯部５１を備え、筐体１０は、一方側から嵌挿されるリード線５０の裸芯部５１を案内するための案内溝２１を有した案内部２０と一方側からの荷重が負荷された際に裸芯部５１を受けるための受け面２６を有した受け部２５とを備えているものである。
【０００８】
また、この実施形態で用いる火災感知器１は、案内溝２１の底面が受け部２５の受け面２６と略面一で連結されているものである。
【０００９】
また、この実施形態で用いる火災感知器１は、筐体１０が、リード線５０の裸芯部５１を案内溝２１内に保持するためにリード線５０の皮膜部５２を挟持する挟持部３０を備えているものである。
【００１０】
また、この実施形態で用いる火災感知器１は、筐体１０が、複数のリード線５０を各々の案内溝２１に案内する複数の案内部２０を連設した連設案内部２２が設けられ、受け部２５が連設案内部２２の両側に交互に配されているものである。
【００１１】
以下、この実施形態の火災感知器１を、より具体的に説明する。この実施形態の火災感知器１は、回路板４０に一端部が接合されたリード線５０の他端部を自火報受信機に向かう配線と電気接続させ、かつ筐体１０に設けられた本体取付け孔３７に螺子等を嵌め込んで住宅等の天井に固定して用いられているものである。そして、この実施形態の火災感知器１の回路板４０は、図１及び図２に示すように、一方側（以下、「上方側」という。）に開放空間を備えた筐体１０の内部に、上方側の空間と下方側の空間を遮断するための遮蔽板６０を筐体１０との間に挟み込んで、かつ筐体１０に設けられた回路板取付け部３５に螺子等を用いて固定され、リード線５０が接合された回路板４０及び遮蔽板６０を筐体１０の内部に取り付けているものである。以下にこの実施形態の火災感知器１における主要な構成要素である筐体１０、回路板４０、リード線５０に関して、より詳細に説明する。
【００１２】
筐体１０は、火災検知素子４５の検知部位を内部空間に収納してこの火災検知素子４５を外部より保護する略円筒形状のプロテクタ部１１と、火災検知素子４５が実装された回路板４０を内部に固定してプロテクタ部１１より大きな径を有する略円筒形状の本体部１５と、より構成されており、概略上方側を開放空間とした段付き円筒形状を備えているものである。また、プロテクタ部１１の側面には、外部からの煙や熱を筐体１０内部に取り込むための通気窓（図示せず）が形成されているものである。そして、本体部１５におけるプロテクタ部１１との段差部位１６には、その上に回路板４０を載せて内部に備えた螺合孔に螺子を螺合して回路板４０を取り付ける回路板取付け部３５と、火災感知器１を螺子等を用いて天井等に取り付けるための本体取付け孔３７を有する本体取付け部３６と、回路板取付け部３５に取付けられた回路板４０のリード線５０を回路板４０との接合部近傍において案内するガイド部３８と、一方側から嵌挿されるリード線５０の裸芯部５１を案内するための案内溝２１を有した案内部２０と、一方側からの荷重が負荷された際に裸芯部５１を受けるための受け面２６を有した受け部２５と、リード線５０の絶縁皮膜を段剥きした裸芯部５１を案内溝２１内に保持するためにリード線５０の皮膜部５２を挟持する挟持部３０と、を備えているものである。
【００１３】
この案内部２０は、図３（ａ）（ｂ）に示すように、その上部が上方向に開口した断面略コ字型形状を備えて、かつその端片間の距離が案内されるリード線５０の裸芯部５１の径よりも若干大きくすることにより、その上面にリード線５０の裸芯部５１を上方側より挿入可能でかつ案内可能な案内溝２１を形成しているものである。そして、この案内部２０は、隣接する案内部２０が連設されるようにすることにより連設案内部２２が形成されているものである。さらに、受け部２５は、その上面である受け面２６が案内部２０の案内溝２１の底面と面一の高さを備えて、案内部２０でリード線５０の裸芯部５１が案内される方向と略平行な方向に案内部２０と連設されて、かつ連設案内部２２の両側に交互に形成されているものである。また、挟持部３０は、その上部が上方向に開口した断面略コ字型形状で、かつその端片間の距離がリード線５０の皮膜部５２の径よりも若干小さくすることにより、この端片間でリード線５０を挟持することができるものとなっているものである。また、この挟持部３０は、隣接する挟持部３０が連設されて連設挟持部３１を形成しているものとなっている。そして、この連設挟持部３１は、案内部２０の案内溝２１がリード線５０を案内する方向に離間して２箇所設けられており、これにより確実にリード線５０の裸芯部５１を案内溝２１内に保持することが可能なものとなっているものである。
【００１４】
回路板４０は、その表面に所定の回路パターンが形成されるとともに、所定箇所に電子部品が、裏面側の中央部分に棒状の火災検知素子４５である温度検知素子が立設状態で実装されているものである。また、この回路板４０は、その回路パターンの一部にリード線５０が半田付け等により接合されており、これにより火災検知素子４５で検知された信号をリード線５０へ伝送することが可能なものとなっている。そして、この回路板４０は、高分子ポリエステル樹脂をホットメルト成型するなどして、その全面を封止材で被覆されているものとなっている。
【００１５】
リード線５０は、火災検知素子４５で検知された信号を外部へ伝送するものであり、銅線を塩化ビニル等の絶縁皮膜で覆った皮膜部５２と、回路板４０に接合していない側の端部に位置する段向きされて内部の銅線が露出した裸芯部５１とを備えているものである。そして、このリード線５０は、その皮膜部５２が筐体１０のガイド部３８及び挟持部３０に案内または挟持された際に、他端部である裸芯部５１が案内部２０の案内溝２１内に位置することが可能な長さに設けられているものである。
【００１６】
これらの筐体１０、回路板４０、リード線５０を用いた導通検査時の検査方法に関して、以下に具体的に説明する。まず、筐体１０の内部にリード線５０が接合された回路板４０を取付けた後、このリード線５０の皮膜部５２を筐体１０のガイド部３８及び挟持部３０に、また裸芯部５１を案内部２０に上方側より嵌め込み、リード線５０を筐体１０の内部に固定する（図４（ａ）（ｂ）参照）。このとき、筐体１０の受け部２５の上方側にはリード線５０の裸芯部５１が位置することとなる。そして、この筐体１０の受け部２５の上方より各々のリード線５０に対応する複数の検査用プローブ７０を同時に下方側に移動させて、リード線５０の裸芯部５１を筐体１０の受け部２５の受け面２６に押し当てる。その後、検査用プローブ７０間の抵抗等を測定することにより、出荷前の回路板４０の内部や回路板４０とリード線５０との接続状態等の導通検査を行うものである。
【００１７】
以上の構成を備えることにより、この実施形態で用いる火災感知器１は、一方側に開放空間を備えた筐体１０と、筐体１０の内部に固定され火災検知素子４５が実装された回路板４０と、一端部が回路板４０に電気接続され火災検知素子４５で検知された信号を外部へ伝送するためのリード線５０と、を備えた火災感知器１において、リード線５０が他端部で絶縁皮膜を段剥した裸芯部５１を備え、筐体１０は、一方側から嵌挿されるリード線５０の裸芯部５１を案内するための案内溝２１を有した案内部２０と一方側からの荷重が負荷された際に裸芯部５１を受けるための受け面２６を有した受け部２５とを備えているので、裸芯部５１の一方側より検査用プローブ７０を当てて導通検査等の回路板４０、回路板４０とリード線５０の接続状態等の導通検査を容易に行うことができて、生産性が向上するものである。
【００１８】
また、この実施形態で用いる火災感知器１は、案内溝２１の底面が受け部２５の受け面２６と略面一で連結されているので、受け部２５の上方側より検査用プローブ７０を当てた際にリード線５０の裸芯部５１が横方向にずれることが少なく、正確な導通検査ができるものである。
【００１９】
また、この実施形態で用いる火災感知器１は、リード線５０が絶縁皮膜された皮膜部５２を備え、筐体１０は、リード線５０の裸芯部５１を案内溝２１内に保持するためにリード線５０の皮膜部５２を挟持する挟持部３０を備えているので、導通検査後もリード線５０は保持された状態となるため、リード線５０を束ねる等の処理をすることなく搬送可能となるものである。
【００２０】
また、この実施形態で用いる火災感知器１は、筐体１０は、複数のリード線５０を各々の案内溝２１に案内する複数の案内部２０を連設した連設案内部２２が設けられ、受け部２５が連設案内部２２の両側に交互に配されているので、各リード線５０に対応する検査用プローブ７０同士が接触することなく検査用プローブ７０を同時に裸芯部５１に押し当てることができ、導通検査を短時間で行うことができるものである。
【００２１】
なお、上記実施形態のリード線５０としては、他端部が段剥きされた皮膜銅線を用いたが、皮膜銅線の他端部に圧着端子等の端子を接合したものや、段剥きされた皮膜銅線の裸芯部５１に半田等の導電部材を流し込んで固定したものでも良く、他端部に検査用プローブ７０を押し当てることにより回路板４０と導通させることが可能な構造を備えていれば良いものである。
【図面の簡単な説明】
【００２２】
【図１】本願発明の実施形態に係る火災感知器の（ａ）下面図（ｂ）正面断面図（ｃ）上面図。
【図２】同上の分解斜視図。
【図３】同上の（ａ）筐体の要部拡大図（ｂ）要部拡大図。
【図４】同上の検査時の（ａ）正面断面図（ｂ）上面図。
【符号の説明】
【００２３】
１    火災感知器
１０  筐体
１１  プロテクタ部
１５  本体部
１６  段差部位
２０  案内部
２１  案内溝
２２  連設案内部
２５  受け部
２６  受け面
３０  挟持部
３１  連設挟持部
３５  回路板取付け部
３６  本体取付け部
３７  本体取付け孔
３８  ガイド部
４０  回路板
４５  火災検知素子
５０  リード線
５１  裸芯部
５２  皮膜部
６０  遮蔽板
７０  検査用プローブ
【図１】
2006209358.tif 000003
【図２】
2006209358.tif 000004
【図３】
2006209358.tif 000005
【図４】
2006209358.tif 000006